(57)【特許請求の範囲】
【請求項１】
貯蔵室内を冷却する冷却器と、前記貯蔵室の背面に設けられた背面ダクトと、前記背面ダクトを介して前記冷却器で冷却された冷気を前記貯蔵室に送風するファンとを備えた冷蔵庫において、
前記背面ダクトの前面に設けられ前記背面ダクトを流通する冷気を前記貯蔵室に吹き出す吹出口と、前記吹出口における前記背面ダクトの下流側の縁部から前記背面ダクト内に向けて突出するリブと、前記背面ダクトから前記吹出口へ向けて突出する突起とを備え、
前記突起は、前記背面ダクトの上流側から下流側へ流通する冷気を前方に指向させる上流側ガイド面と、前記リブによって遮られた冷気を前方に指向させる下流側ガイド面とを備えることを特徴とする冷蔵庫。
【請求項２】
前記背面ダクトの上流側から下流側へ流通する冷気を前記リブと前記下流側ガイド面との間に案内するガイド部が設けられていることを特徴とする請求項１に記載の冷蔵庫。
【請求項３】
前記背面ダクトの上流側から下流側に沿って前記吹出口を複数備え、
前記背面ダクトの上流側に設けられた前記吹出口と前記上流側ガイド面との間の間隔が、前記背面ダクトの下流側に設けられた前記吹出口と前記上流側ガイド面との間の間隔より小さく設けられていることを特徴とする請求項１又は２に記載の冷蔵庫。
【発明の詳細な説明】
【技術分野】
【０００１】
本発明の実施形態は、冷蔵庫に関する。
【背景技術】
【０００２】
従来より、冷蔵室などの冷蔵庫の貯蔵室には、冷却器で冷却した冷気を流通させる背面ダクトが設けられており、この背面ダクトを流通する冷気が吹出口より貯蔵室内に吹き出すことで、貯蔵室内を冷却するように構成されている。このような冷蔵庫では、背面ダクト内の冷気を吹出口へ案内するリブを設け、吹出口から冷気を効率的に貯蔵室内に取り込むように構成されている（例えば、下記特許文献１参照）。
【先行技術文献】
【特許文献】
【０００３】
【特許文献１】特開２００２−３１４６３号公報
【発明の概要】
【発明が解決しようとする課題】
【０００４】
しかしながら、従来の冷蔵庫では、リブによって背面ダクトから貯蔵室内に取り込まれた冷気が、吹出口から冷蔵庫正面に向かって直進性良く吹き出しにくいため、例えば、貯蔵室内の吹出口から離れた位置に置かれた貯蔵品は、素早く冷却できないおそれがある。
【０００５】
そこで、本発明は、貯蔵室の背面に設けられた背面ダクトから吹き出す冷気が、冷蔵庫正面に向かって直進性良く吹き出して、貯蔵室内に収納された貯蔵品の冷却効率を向上させることができる冷蔵庫を提供することを目的とする。
【課題を解決するための手段】
【０００６】
本発明の実施形態に係る冷蔵庫は、貯蔵室内を冷却する冷却器と、前記貯蔵室の背面に設けられた背面ダクトと、前記背面ダクトを介して前記冷却器で冷却された冷気を前記貯蔵室に送風するファンとを備えた冷蔵庫において、前記背面ダクトの前面に設けられ前記背面ダクトを流通する冷気を前記貯蔵室に吹き出す吹出口と、前記吹出口における前記背面ダクトの下流側の縁部から前記背面ダクトに向けて突出するリブと、前記背面ダクト内から前記吹出口へ向けて突出する突起とを備え、前記突起は、前記背面ダクトの上流側から下流側へ流通する冷気を前方に指向させる上流側ガイド面と、前記リブによって遮られた冷気を前方に指向させる下流側ガイド面とを備えることを特徴とする。
【図面の簡単な説明】
【０００７】
【図１】本発明の一実施形態に係る冷蔵庫の断面図である。
【図２】図１に示す冷蔵庫の冷蔵空間部分を示す正面図である。
【図３】図１の要部拡大図である。
【図４】図３の要部拡大図である。
【図５】図３のＢ−Ｂ断面図である。
【発明を実施するための形態】
【０００８】
以下、図面に基づき本発明の１実施形態について説明する。
【０００９】
本発明の一実施形態に係る冷蔵庫１０は、図１に示すように、外郭を形成する外箱１２ａと貯蔵空間を形成する内箱１２ｂとの間に発泡断熱材１２ｃを充填した断熱箱体からなる冷蔵庫本体１２を備え、貯蔵空間を断熱仕切壁１４によって上方の冷蔵空間２０と下方の冷凍空間４０とに区画している。
【００１０】
冷蔵空間２０は、さらに仕切体２１によって上下に区画され、上部空間に複数段の載置棚を設けた冷蔵室２２が設けられ、下部空間に上下２段に設けられた容器２６を配置する野菜室２４が設けられている。
【００１１】
冷蔵室２２の開口部は、冷蔵庫本体１２の一側部の上下に設けられたヒンジにより回動自在に枢支された冷蔵室扉２３により閉塞されている。野菜室２４の開口部は、引き出し式の野菜室扉２５により閉塞されている。野菜室扉２５の裏面側には、容器２６を保持する左右一対の支持枠が固着されており、開扉動作とともに容器２６が庫外に引き出されるように構成されている。
【００１２】
野菜室２４の下方に断熱仕切壁１４を介して配置された冷凍空間４０には、自動製氷装置を備えた製氷室（不図示）と第１冷凍室４４を左右に併設しており、その下方には第２冷凍室４６が設けられている。
【００１３】
製氷室、第１冷凍室４４、及び第２冷凍室４６の開口部も、野菜室２４と同様、引き出し式の扉４５，４７により閉塞され、各扉４５，４７の裏面側に固着した左右一対の支持枠に収納容器が保持されており、開扉動作とともに該収納容器が庫外に引き出されるように構成されている。
【００１４】
そして、冷凍空間２０の後部には、冷蔵空間２０内の空気を冷却する冷蔵用冷却器５２と、冷蔵用冷却器５２で冷却された冷気を冷蔵室２２及び野菜室２４へ送風する冷蔵用ファン５３が設けられている。また、冷凍空間４０の後部には、冷凍空間４０内の空気を冷却する冷凍用冷却器５４と、冷凍用冷却器５４で冷却された冷気を製氷室、第１冷凍室４４及び第２冷凍室へ送風する冷凍用ファン５５が設けられている。冷蔵用冷却器５２及び冷凍用冷却器５４は、圧縮機３２や凝縮器（不図示）や切替弁（不図示）とともに冷凍サイクルを構成し、圧縮機３２から吐出された冷媒によって冷却される。
【００１５】
図１〜図３に示すように、冷蔵室２２の背面には、冷蔵室２２の下端から上端にかけて背面ダクト６０が設けられている。冷蔵用ファン５３の回転により冷蔵用冷却器５２で冷却された冷気は、背面ダクト６０の下端から上端へ上方に向けて流れ込み、吹出口６６及び間隙６４から冷蔵室２２内へ吹き出す。
【００１６】
背面ダクト６０は、冷蔵室２２における内箱１２ｂの背面１２ｂ１とこの内箱１２ｂの背面１２ｂ１に対向して取り付けられたダクト形成材６２とで挟まれた空間に設けられている。ダクト形成材６２の上端縁は、内箱１２ｂの背面上端部と所定の冷気吹き出し用の間隙６４を設けるように設置されている。
【００１７】
ダクト形成材６２は、図３〜図５に示すように、例えば合成樹脂を射出成形した概略平板状をなしており、板状に設けられ冷蔵室２２の背面ほぼ全域を覆うように配設され背面ダクト６０の前面部分を区画形成する板部６１と、この板部６１の裏面側に取り付けられる吹出部材６３とを備える。ダクト形成材６２の板部６１には吹出口６６（必要に応じて、６６ａ、６６ｂ、６６ｃと示す）が形成され、吹出部材６３にはリブ６８、ガイド部７２、及び突起７０（必要に応じて、７０ａ、７０ｂ、７０ｃと示す）が一体に形成されている。吹出部材６３は吹出口６６を覆うように板部６１の裏面側に取り付けられ、板部６１と吹出部材６３との間に背面ダクト６０の上流側（つまり、下方）に向けて開口する冷気取込口６５（必要に応じて、６５ａ、６５ｂ、６５ｃと示す）が形成されている。
【００１８】
詳細には、吹出口６６は、ダクト形成材６２の板部６１を前後に貫通して設けられ、背面ダクト６０を流通する冷気を冷蔵室２２に導入する開口であり、冷蔵庫１０の幅方向に延びる長円状に設けられている。吹出口６６は、背面ダクト６０の上流側から下流側に沿って（つまり、上下方向に沿って）複数個（例えば、３個）間隔をあけてダクト形成材６２に設けられている。
【００１９】
リブ６８は、吹出口６６の上縁部に沿ってダクト形成材６２の裏面から背面ダクト６０に向けて突出形成されており、背面ダクト６０を流通する冷気の一部を堰き止めて、リブ６８の下側に位置する吹出口６６へ堰き止めた冷気を送り出す。図５に示すように、リブ６８の左右の両側には、側方に行くほど下方へ傾斜するガイド部７２がリブ６８に連続して設けられている。
【００２０】
突起７０は、冷蔵庫１０の幅方向に沿って延びる突条であり、背面ダクト６０から吹出口６６に向けて（つまり、前方に向けて）突出し、吹出口６６の位置において終端するように形成されている。
【００２１】
背面ダクト６０の上流側に位置する突起７０の下面は、前方に行くほど上方への傾きが緩やかになるような曲面状の上流側ガイド面７４に設けられ、背面ダクト６０の下流側に位置する突起７０の上面は、前方に行くほど下方への傾きが緩やかになるような曲面状の下流側ガイド面に設けられている。これにより、突起７０は上下方向に沿った断面形状が、前方に行くほど上下方向の幅寸法が狭くなるような形状をなしている。
【００２２】
突起７０に設けられた上流側ガイド面７４は、これに衝突した背面ダクト６０の上流側から下流側へ流通する冷気を前方に指向させ吹出口６６を通して冷蔵室２２内へ吹き出させる。一方、突起７０に設けられた下流側ガイド面７６は、リブ６８によって遮られた背面ダクト６０を流通する冷気を前方に指向させ吹出口６６を通して冷蔵室２２内へ吹き出させる。
【００２３】
なお、背面ダクト６０の最も上流側に設けられた吹出口６６ａに向けて突出する突起７０ａの突出量は、吹出口６６ａより背面ダクト６０の下流側に設けられた吹出口６６ｂ、６６ｃに向けて突出する突起７０ｂ，７０ｃの突出量に比べて小さく設定され、吹出口６６ａと上流側ガイド面７４との間（つまり、背面ダクト６０の上流側に位置する冷気取込口６５ａ）の冷蔵庫前後方向の間隔Ａが、吹出口６６ｂ，６６ｃと上流側ガイド面７４との間（つまり、冷気取込口６５ａより背面ダクト６０の下流側に位置する冷気取込口６５ｂ、６５ｃ）の冷蔵庫前後方向の間隔Ｂ，Ｃに比べて小さく設けられている。
【００２４】
上記のような本実施形態の冷蔵庫１０では、図２及び図３に示すように、冷蔵用ファン５３の動作により背面ダクト６０内に流入した冷蔵用冷却器５２で冷却された冷気の一部が、板部６１と吹出部材６３との間に形成された冷気取込口６５に流れ込む。
【００２５】
冷気取込口６５から吹出部材６３内に流れ込んだ冷気は、上流側ガイド面７４に衝突して前方に指向されるものと、ガイド部７２によってリブ６８と下流側ガイド面７６との間に案内され、下流側ガイド面７６に衝突して前方に指向されるものとに分流された後、分流された冷気が吹出口６６において合流されて吹き出される。このように、上流側ガイド面７４に衝突して前方に指向された冷気と、下流側ガイド面７６に衝突して前方に指向された冷気とが、１つの吹出口６６から吹き出される。そのため、上流側ガイド面７４によって指向された冷気と下流側ガイド面７６によって指向された冷気との上下方向成分を互いに打ち消すことができ、吹出口６６から吹き出される冷気の直進性が良く、冷蔵室２２内に収納された貯蔵品の冷却効率を向上させることができる。
【００２６】
また、本実施形態の冷蔵庫１０では、背面ダクト６０の上流側から下流側に沿って複数個設けられた吹出口６６のうち、最も背面ダクト６０の上流側に設けられた吹出口６６ａと上流側ガイド面７４との間の間隔Ａが、それより下流側に設けられた吹出口６６ｂ，６６ｃと上流側ガイド面７４との間の間隔Ｂ，Ｃに比べて小さく設けられている。そのため、冷気の流れの速い背面ダクト６０の上流側では下流側に比べて冷気取込口６５を設けることができ、複数設けられた吹出口６６からの冷気の吹出量を均一にして冷蔵室２２を均一に冷却することができる。
【符号の説明】
【００２７】
１０…冷蔵庫            １２…冷蔵庫本体        １４…断熱仕切壁
２０…冷蔵空間          ２２…冷蔵室            ２３…冷蔵室扉
２４…野菜室            ２５…野菜室扉          ４０…冷凍空間
５２…冷蔵用冷却器      ５３…冷蔵用ファン      ５４…冷凍用冷却器
５５…冷凍用ファン      ６０…背面ダクト        ６２…ダクト形成材
６４…間隙              ６５…冷気取込口        ６６…吹出口
６８…リブ              ７０…突起              ７２…ガイド部
７４…上流側ガイド面    ７６…下流側ガイド面
【図１】
0005523986.tif 000002
【図２】
0005523986.tif 000003
【図３】
0005523986.tif 000004
【図４】
0005523986.tif 000005
【図５】
0005523986.tif 000006